(57)【特許請求の範囲】
【請求項１】
遊技盤と、
この遊技盤の盤面の外周部に沿い下方に向けて凸な湾曲状となるように配置してなる内レールとを備えて、
前記遊技盤は、その盤面側から前記内レールの下端部の直上にて、アウト口を形成してなるパチンコ遊技機において、
前記内レールの左側部位の上面に沿い右側下方へ転動する遊技球を、前記アウト口を介し前記遊技盤の後方へ排出する左側球排出筒部材と、
前記内レールの右側部位の上面に沿い左側下方へ転動する遊技球を、前記アウト口を介し前記遊技盤の後方へ排出する右側球排出筒部材とを備えることを特徴とするパチンコ遊技機。
【請求項２】
前記左右両側球排出筒部材のいずれか一方の球排出筒部材は、その排出部にて、他方の球排出筒部材の排出部の前側に位置するように、前記他方の球排出筒部材の前記排出部とともに、前記遊技盤の前記アウト口内に延在するようにしたことを特徴とする請求項１に記載のパチンコ遊技機。
【発明の詳細な説明】
【技術分野】
【０００１】
本発明は、遊技球を遊技盤の後方へ排出するようにしたパチンコ遊技機に関する。
【背景技術】
【０００２】
従来、この種のパチンコ遊技機としては、下記特許文献１に記載のパチンコ遊技機が提案されている。このパチンコ遊技機において、その遊技盤の遊技領域内に順次発射された各遊技球は、遊技盤の盤面に沿い下方へ転動していく。
【０００３】
ここで、当該各遊技球のうち入賞口へ入賞することなく下方へ転動する遊技球は、遊技盤に設けた案内レールに沿い転動して、当該案内レールの下端部上に位置するアウト口内に進入して排出されるようになっている。
【先行技術文献】
【特許文献】
【０００４】
【特許文献１】特開２００９−１９５３３９号公報
【発明の概要】
【発明が解決しようとする課題】
【０００５】
ところで、上記パチンコ遊技機によると、遊技盤の遊技領域内に順次発射された各遊技球のうち２つの遊技球が、案内レールに沿いその左右両側からアウト口に進入する場合、当該２つの遊技球は、アウト口の入り口近辺で互いに衝突して、アウト口内に進入することなくそのまま滞留する事態が発生するおそれがある。
【０００６】
これでは、遊技盤の盤面における遊技球の円滑な転動が阻害されて、遊技を円滑に行うことができない。
【０００７】
そこで、本発明は、このようなことに対処するために、遊技球の排出構成に工夫を凝らし、内レールに沿いその左右両側から下方へ転動する各遊技球を、互いに衝突することなく、円滑に遊技盤の後方へ排出させるようにしたパチンコ遊技機を提供することを目的とする。
【課題を解決するための手段】
【０００８】
上記課題の解決にあたり、本発明に係るパチンコ遊技機は、請求項１の記載によれば、
遊技盤（２０）と、
この遊技盤の盤面の外周部に沿い下方に向けて凸な湾曲状となるように配置してなる内レール（２２ｂ）とを備えて、
遊技盤は、その盤面側から内レールの下端部の直上にて、アウト口（３０）を形成してなるものである。
【０００９】
当該パチンコ遊技機において、
内レールの左側部位の上面に沿い右側下方へ転動する遊技球を、上記アウト口を介し遊技盤の後方へ排出する左側球排出筒部材（４５）と、
内レールの右側部位の上面に沿い左側下方へ転動する遊技球を、上記アウト口を介し遊技盤の後方へ排出する右側球排出筒部材（４６）とを備えることを特徴とする。
【００１０】
これによれば、内レールの左側部位の上面に沿い右側下方に向けて転動する遊技球（左側球）は、左側球排出筒部材を通りアウト口を介して遊技盤の後方へ排出される。一方、内レールの右側部位の上面に沿い左側下方に向けて転動する遊技球（右側球）は、右側球排出筒部材を通りアウト口を介して遊技盤の後方へ排出される。
【００１１】
このように、左側球排出筒部材及び右側球排出筒部材が、左側球及び右側球を、アウト口を介し、遊技盤の後方へ排出するように、互いに独立的な排出専用通路としての役割を果たすため、左側球及び右側球が、互いに衝突することなく、左側球排出筒部材及び右側球排出筒部材からアウト口を介し円滑に遊技盤の後方へ排出され得る。その結果、左側球及び右側球が、例えば、内レールの下端中央部近辺にて、左右両側から衝突して球詰まりを起こすことがない。
【００１２】
また、本発明は、請求項２の記載によれば、請求項１に記載のパチンコ遊技機において、
左右両側球排出筒部材のいずれか一方の球排出筒部材は、その排出部（４５ａ）にて、他方の球排出筒部材の排出部（４６ａ）の前側に位置するように、他方の球排出筒部材の排出部とともに、遊技盤の上記アウト口内に延在するようにしたことを特徴とする。
【００１３】
このように、左右両側球排出筒部材のいずれか一方の球排出筒部材は、その排出部にて、他方の球排出筒部材の排出部の前側に位置するように、他方の球排出筒部材の排出部とともに、遊技盤の上記アウト口内に延在することで、左側球及び右側球が、アウト口の内部にて、衝突や球詰まりを起こすことなく、左右両側球排出筒部材により、独立的に遊技盤の後方へ排出され得る。
【発明の効果】
【００１４】
本発明によれば、左側球が左側球排出筒部材を通りアウト口から遊技盤の後方へ排出され、一方、右側球が右側球排出筒部材を通りアウト口から遊技盤の後方へ排出されるので、左側球及び右側球が遊技盤のアウト口の内部にて衝突して球詰まりを起こすことがない。
【００１５】
なお、上記各手段の括弧内の符号は、後述する実施形態に記載の具体的手段との対応関係を示す。
【図面の簡単な説明】
【００１６】
【図１】本発明が適用されるパチンコ遊技機の一実施形態を、前扉を開いた状態で示す斜視図である。
【図２】図１のパチンコ遊技機の下部を、前扉を開いた状態で示す拡大斜視図である。
【図３】上記一実施形態における光演出装置の拡大斜視図である。
【図４】図３の光演出装置を下側後方からみた斜視図である。
【図５】図３の光演出装置の下面図である。
【図６】図３の光演出装置の分解斜視図である。
【図７】図６の光演出装置の演出部材４３を斜め後方からみた斜視図である。
【図８】図６の光演出装置の演出部材４３を斜め下方からみた斜視図である。
【図９】図６の光演出装置の演出部材４３を斜め横後方からみた斜視図である。
【図１０】図１のパチンコ遊技機の要部の縦断面図である。
【発明を実施するための形態】
【００１７】
以下、本発明の一実施形態を図面により説明する。
【００１８】
図１に示すパチンコ遊技機は、パチンコホール内の島に立設されるもので、このパチンコ遊技機は、機枠ＰＦと遊技機本体Ｂと前扉ＦＤとにより構成されている。なお、前扉ＦＤは、前枠ＦＤ１と、この前枠ＦＤ１の中空部に組み付けた窓ガラスＦＤ２とにより構成されており、この前扉ＦＤは、前枠ＦＤ１の左縁部にて、遊技機本体Ｂの左縁部を介し、機枠ＰＦの左縁部に前後方向に開閉可能に支持されている。また、図１において、図示上下左右方向は、当該パチンコ遊技機を正面から見たときの上下左右方向に対応し、また、図示前後方向は、当該パチンコ遊技機の前後方向に対応する。
【００１９】
遊技機本体Ｂは、枠体ＢＦを備えており、この枠体ＢＦは、その左縁部にて、機枠ＰＦの左縁部に前後方向へ回動可能に支持されている。なお、枠体ＢＦの右下部には、球発射装置１０が配設されている。
【００２０】
また、当該遊技機本体Ｂは、遊技盤２０を備えており、この遊技盤２０は、枠体ＢＦの中空部に嵌装されている。
【００２１】
遊技盤２０の盤面２１には、外レール２２ａと内レール２２ｂとからなるガイドレール２２が取り付けられている。このガイドレール２２は、その内周側において、遊技盤２０の盤面２１上に区画された遊技領域２３を形成する。また、ガイドレール２２は、前扉ＦＤの前面右下部に設けられた操作ハンドル（図示しない）の回動操作により、球発射装置１０から発射される遊技球を、外レール２２ａと内レール２２ｂの間を通して遊技領域２３内に案内する。なお、遊技盤２０には、図示しないが、通常のデジパチ型のパチンコ遊技機と同様に、センター装飾部材、画像表示器、障害釘群、大入賞口装置、電動チューリップ（第２始動口装置）、スルーゲート、風車、複数の普通入賞口装置などが設けられている。
【００２２】
光演出装置４０は、図１及び図２から分かるように、遊技盤２０にその盤面２１側から内レール２２ｂの下端部上に沿い、アウト口３０（図２参照）内に組み付けられている。本実施形態では、アウト口３０は、図２にて示すごとく、内レール２２ｂの下端部の直上にて、遊技盤２０に開口形成されている。
【００２３】
当該光演出装置４０は、図３〜図９のいずれかに示すごとく、ケーシング４０ａを備えている。このケーシング４０ａは、環状部材４１と、透光板４２と、演出部材４３と、蓋部材４４とにより構成されており、当該ケーシング４０ａは、演出部材４３を遊技盤２０の盤面２１から前方へ突出させ、環状部材４１、透光板４２及び蓋部材４４をアウト口３０内に嵌装するようにして、遊技盤２０に組み付けられている。
【００２４】
環状部材４１は、図６にて示すごとく、上壁４１ａ、左側壁４１ｂ、下壁４１ｃ及び右側壁４１ｄでもって環状に形成されている。ここで、上壁４１ａの左右方向中央部には、凹状通路部４１ｅが、前後方向に沿い、上に向けて凹な半円筒状にて形成されており、この凹状通路部４１ｅは、後述する入賞球通路の途中通路を構成する。
【００２５】
透光板４２は、略四角板状の透明板部４２ａと、この透明板部４２ａの上下方向中央左右両端部から互いに逆方向に突出する両取り付け部４２ｂ、４２ｂとを有している。当該透光板４２は、その透明板部４２ａにて、環状部材４１と演出部材４３との間に複数のネジの締着により挟持されており、当該透光板４２の両取り付け部４２ｂ、４２ｂは、アウト口３０の外周部に遊技盤２０の盤面２１側からネジ止めされている。
【００２６】
演出部材４３は、透明の演出壁４３ａと、この演出壁４３ａの上端部から後方へ延出する上壁４３ｂと、この上壁４３ｂの左右方向中央部に設けてなる入賞口体４３ｃと、演出壁４３ａの左右両端上側部部位から後方に延出して上壁４３ｂとともにコ字状壁を構成する左右両側壁４３ｄ、４３ｅと、演出壁４３ａの左右両側下端部に設けた左右両側アウト球入路４３ｆ、４３ｇとを備えている。
【００２７】
ここで、演出壁４３ａは、その後方から入射する光を透過させて、「ＲＵＳＨ」の英文字でもって光学的に演出効果を発揮する。入賞口体４３ｃは、その底壁部にて、上壁４３ｂの左右方向中央切り欠き部内に嵌着されており、当該入賞口体４３ｃは、上方及び後方に向けて開口するように、左右方向断面コ字状にかつ前後方向断面Ｌ字状に構成されている。
【００２８】
左右両側アウト球入路４３ｆ、４３ｇのうち、左側アウト球入路４３ｆは、演出壁４３ａの左側下端部の後側にて当該左側下端部とともに上方及び左右方向に開口する横断面コ字状の通路となるように構成されている。この左側アウト球入路４３ｆは、遊技盤２０の盤面２１の前方かつ内レール２２ｂの上面に沿うように位置しており、当該左側アウト球入路４３ｆは、その入り口部４３ｈにて、内レール２２ｂの左側部位に向けて開口する。これにより、内レール２２ｂの左側部位の上面に沿い下方へ転動する遊技球が左側アウト球入路４３ｆ内にその入り口部４３ｈから進入する。
【００２９】
右側アウト球入路４３ｇは、演出壁４３ａの右側下端部の後側にて当該右側下端部とともに上方及び左右方向に開口する横断面コ字状の通路となるように構成されている。この右側アウト球入路４３ｇは、遊技盤２０の盤面２１の前方かつ内レール２２ｂの上面に沿うように位置しており、当該右側アウト球入路４３ｇは、その入り口部４３ｉにて、内レール２２ｂの右側部位に向けて開口する。これにより、内レール２２ｂの右側部位の上面に沿い下方へ転動する遊技球が右側アウト球入路４３ｆ内にその入り口部４３ｉから進入する。
【００３０】
なお、入賞口体４３ｃは、その上側開口部にて、パチンコ遊技機のスタートチャッカー（図示しない）の入賞口を構成しており、当該入賞口体４３ｃに対する上側開口部からの遊技球の入賞の際に、遊技制御回路（図示しない）が、遊技者に有利な遊技状態となる特定遊技状態を発生させるか否かについての大当たり抽選を行う。
【００３１】
当該光演出装置４０は、図４〜図９のいずれかにて示すごとく、左側球排出筒部材４５及び右側球排出筒部材４６を備えている。左側球排出筒部材４５は、図４にて示すごとく、環状部材４１の下壁４１ｃにその下面側から組み付けられている。詳細には、左側球排出筒部材４５は、その外周壁の長手方向中間部位にて、両ステイにより、環状部材４１の下壁４１ｃに各ネジの締着により組み付けられている（図４参照）。
【００３２】
この左側球排出筒部材４５は、左アウト球入路４３ｆの内部から略水平に後方右側へ湾曲状に延出した後下方へ折れ曲がって延出するように構成されており、当該左側球排出筒部材４５は、その延出端開口部４５ａにて、アウト口３０内に延在して開口している。これにより、左側球排出筒部材４５は、内レール２２ｂの左側部位の上面に沿い下方へ転動する遊技球を導入して、延出端開口部４５ａからアウト口３０を介し遊技盤２０の後方へ排出する。
【００３３】
右側球排出筒部材４６は、演出壁４３ａの左右方向中間下部にその後面側から組み付けられている。詳細には、右側球排出筒部材４６は、両ステイにより、演出壁４３ａの左右方向中間下部に各ネジの締着により組み付けられている（図７参照）。
【００３４】
この右側球排出筒部材４６は、右アウト球入路４３ｇの内部から後方やや下方へ湾曲状に延出するように構成されており、当該右側球排出筒部材４６は、その延出端開口部４６ａにて、アウト口３０内に延在して開口している。これにより、右側球排出筒部材４６は、内レール２２ｂの右側部位の上面に沿い下方へ転動する遊技球を導入して、延出端開口部４６ａからアウト口３０を介し遊技盤２０の後方へ排出する。本実施形態では、右側球排出筒部材４６の延出開口部４６ａが、左側球排出筒部材４５の延出開口部４５ａとともに、当該延出開口部４５ａの後側にて、アウト口３０内に延在している。なお、これに代えて、右側球排出筒部材４６の延出開口部４６ａが、左側球排出筒部材４５の延出開口部４５ａとともに、当該延出開口部４５ａの前側にて、アウト口３０内に延在するようにしてもよい。
【００３５】
蓋部材４４は、その外周部を環状部材４１にその後方からネジにより締着することで組み付けられている。
【００３６】
発光反射体４７は、蓋部材４４の前面に組み付けられることで、環状部材４１内に収容されており、当該発光反射体４７は、発光板部材４７ａと、湾曲状反射板４７ｂとにより構成されている。
【００３７】
発光板部材４７ａは、湾曲状反射板４７ｂの上下方向中間部位から前方へ延出する取り付け板部４７ｃと、この取り付け板部４７ｃに設けた所定個数（例えば、６個）の発光ダイオード４７ｄとにより構成されている。ここで、取り付け板部４７ｃは、その延出外周部にて、前方へ凸な円弧状に形成されている。また、各発光ダイオード４７ｄは、取り付け板部４７ｃの延出外周部にその円弧方向に沿い所定間隔をおいて配設されており、当該各発光ダイオード４７ｄは、発光駆動されて、上方に向けて光を出射する。
【００３８】
湾曲状反射板４７ｂは、取り付け板部４７ｃを境界として上下両側部位４７ｅ、４７ｆに区画されており、上側部位４７ｅは、反射部位（以下、反射部位４７ｅともいう）として機能する。しかして、湾曲状反射板４７ｂは、反射部位４７ｅにて、各発光ダイオード４７ｄからの光を透光板４２に向けて反射する。
【００３９】
なお、本実施形態では、各発光ダイオード４７ｄの発光パターンを制御することにより、反射部位４７ｅにより反射される光を透光板４２の透明窓部４２ａ及び演出部材４３の演出壁４３ａを通して遊技者に視認させて光演出を行う。
【００４０】
また、当該光演出装置４０は、上側入賞球通路部材４８及び下側入賞球通路部材４９を有しており、上側入賞球通路部材４８及び下側入賞球通路部材４９は、演出部材４３の入賞口体４３ｃ及び環状部材４１の凹状通路部４１ｅとともに、入賞球通路を構成する。これに伴い、上側入賞球通路部材４８は、その上端開口部にて凹状通路部４１ｅにその後方から開口するように蓋部材４４の後面左右方向中央部に沿い下方に向けて延出している。
【００４１】
下側入賞球通路部材４９は、その上端開口部にて、入賞センサ５０のセンサケーシング５１を介し上側入賞球通路部材４８の延出端開口部に連通するように、蓋部材４４の後面左右方向中央部に沿い下方に向けて延出している。
【００４２】
入賞センサ５０は、センサケーシング５１内に収容されて、上側入賞球通路部材４８の内部から下側入賞球通路部材４９の内部に落下する遊技球を入賞球として検出する。なお、センサケーシング５１は、蓋部材４４の後面から後方へ延出している。また、検出された遊技球は、下側入賞球通路部材４９の下端開口部４９ａから遊技盤２０の裏側に排出される。
【００４３】
以上のように構成した本実施形態において、当該パチンコ遊技機の遊技盤２０の遊技領域２３内にガイドレール２２の外レール２２ａと内レール２２ｂとの間を通り順次案内される遊技球は、遊技盤２０の盤面２１に沿い下方へ転動していく。
【００４４】
ここで、このように転動する遊技球が、図１０にて示すごとく、光演出装置４０の入賞口体４３ｃ内にその上側開口部から進入すると、当該遊技球は、環状部材４１の凹状通路部４１ｅ、上側入賞球通路部材４８及び下側入賞球通路部材４９を通り排出される。
【００４５】
このような排出過程において、遊技球が上側入賞球通路部材４８の内部から下側入賞球通路部材４９の内部に転動するとき、当該遊技球は、入賞センサ５０により入賞球として検出される。これに伴い、上記遊技制御回路において、所定の条件下で大当たり抽選が行われる。
【００４６】
また、上述のように下方へ転動する各遊技球が、光演出装置４０の入賞口体４３ｃ内に進入することなく、内レール２２ｂの左側部位の上面及び右側部位の上面に沿い下方へ転動すると、内レール２２ｂの左側部位の上面上の遊技球（以下、左側球ともいう）は、内レール２２ｂの左側部位の上面に沿い内レール２２ｂの中央下部、換言すれば、光演出装置４０に向けて左側から転動し、一方、内レール２２ｂの右側部位の上面上の遊技球（以下、右側球ともいう）は、内レール２２ｂの右側部位の上面に沿い内レール２２ｂの下端中央部、換言すれば、光演出装置４０に向けて右側から転動することとなる。このことは、左側球及び右側球は、内レール２２ｂの左側部位及び右側部位の各上面に沿い互いに接近して衝突する方向に転動することを意味する。
【００４７】
しかしながら、光演出装置４０には、左側球排出筒部材４５及び右側球排出筒部材４６が、上述のごとき構成にて設けられている。従って、内レール２２ｂの下端中央部に左側から達する左側球は、左側球排出筒部材４５を通りアウト口３０を介し遊技盤２０の後方へ排出され、一方、内レール２２ｂの中央下部に右側から達する右側球は、右側球排出筒部材４６を通りアウト口３０を介し遊技盤２０の後方へ排出されることとなる。
【００４８】
ここで、左側球排出筒部材４５は、左側アウト球入路４３ｆを通して、内レール２２ｂの中央下部から左側へ開口し、一方、右側球排出筒部材４６は、右側アウト球入路４３ｇを通して内レール２２ｂの中央下部から右側へ開口している。従って、左側球は内レール２２ｂの左側部位から左側アウト球入路４３ｆを通り左側球排出筒部材４５内に円滑に進入してアウト口３０を介し遊技盤２０の後方へ排出され、一方、右側球は内レール２２ｂの右側部位から右側アウト球入路４３ｇを通り右側球排出筒部材４６内に円滑に進入してアウト口３０を介し遊技盤２０の後方へ排出され得る。
【００４９】
このように、左側球排出筒部材４５が、左側球のアウト口３０を介する遊技盤２０の後方への排出専用の通路としての役割を果たし、一方、右側球排出筒部材４６が、右側球のアウト口３０を介する遊技盤２０の後方への排出専用の通路としての役割を果たすことから、左側球及び右側球が、内レール２２ｂの下端中央部にて左右から衝突して球詰まりを招くという事態の発生を未然に防止することができる。
【００５０】
ここで、右側球排出筒部材４６の延出開口部４６ａが、左側球排出筒部材４５の延出開口部４５ａとともに、当該延出開口部４５ａの後側にて、アウト口３０内に延在するので、上述した効果がより一層確実に達成され得る。なお、右側球排出筒部材４６の延出開口部４６ａが、左側球排出筒部材４５の延出開口部４５ａとともに、当該延出開口部４５ａの前側にて、アウト口３０内に延在するようにしても、同様の作用効果を達成することができる。
【００５１】
なお、本発明の実施にあたり、上記実施形態にて述べた左側球排出筒部材４５及び右側球排出筒部材４６のうちいずれか一方を廃止してもよい。例えば、左側球排出筒部材４５を廃止した場合には、内レール２２ｂの左側部位の上面に沿い下方へ転動する遊技球は、直接、アウト口３０内に進入させて遊技盤２０の後方へ排出するようにしてもよい。
【００５２】
この場合には、内レール２２ｂの右側部位の上面に沿い下方へ転動する遊技球は、右側球排出筒部材４６を通してアウト口を介し遊技盤２０の後方へ排出されるので、内レール２２ｂの左側部位の上面に沿い下方へ転動する遊技球が、内レール２２ｂの右側部位の上面に沿い下方へ転動する遊技球と衝突するようなことはない。
【００５３】
なお、本発明の実施にあたり、上記実施形態にて述べたアウト口３０は、左右両側の球排出筒部材４５、４６の各延出端開口部４５ａ、４６ａを延在させる単なる開口部であってもよい。
【００５４】
また、本発明の実施にあたり、左右両側球排出筒部材４５、４６は、上記実施形態にて述べたように筒状に限ることなく、それぞれ、排出路であればよい。
【符号の説明】
【００５５】
２０…遊技盤、２２ｂ…内レール、２３…遊技領域、３０…アウト口、
４５…左側球排出筒部材、４５ａ、４６ａ…延出端開口部、４６…右側球排出筒部材。
【図１】
0005622508.tif 000002
【図２】
0005622508.tif 000003
【図３】
0005622508.tif 000004
【図４】
0005622508.tif 000005
【図５】
0005622508.tif 000006
【図６】
0005622508.tif 000007
【図７】
0005622508.tif 000008
【図８】
0005622508.tif 000009
【図９】
0005622508.tif 000010
【図１０】
0005622508.tif 000011